(57)【要約】      （修正有）【課題】光源の累積点灯時間が長くなっても、複数の目標輝度に対して速やかに収束させる投写型表示装置または投写型表示装置の光源制御方法を提供する。【解決手段】投写型表示装置１０は、光源１１と、光源１１に光源駆動電力を供給する光源駆動部１２と、光源１１が出力する光に対応する検出輝度を検出する輝度検出部と、光源１１が点灯したときの目標となる目標輝度毎に、光源１１が点灯した時間を累積した累積点灯時間と光源駆動電力との関係を示す光源特性を記憶する記憶部１９と、光源１１が点灯すると、検出輝度と目標輝度との差が所定の値より小さくなるように光源駆動部１２を制御する制御部２０と、を備える。【選択図】図１
2016184086.tif 000002
【特許請求の範囲】
【請求項１】
光源と、
前記光源に光源駆動電力を供給する光源駆動部と、
前記光源が出力する光に対応する検出輝度を検出する輝度検出部と、
前記光源が点灯したときの目標となる目標輝度毎に、前記光源が点灯した時間を累積した累積点灯時間と前記光源駆動電力との関係を示す光源特性を記憶する記憶部と、
前記光源が点灯すると、前記検出輝度と前記目標輝度との差が所定の値より小さくなるように前記光源駆動部を制御する制御部と、
を備える投写型表示装置。
【請求項２】
前記制御部は、前記光源を点灯する旨の指示を検出すると、前記光源を点灯するときの前記目標輝度、前記光源の累積点灯時間および前記光源特性に基づいて前記光源を点灯させる、請求項１に記載の投写型表示装置。
【請求項３】
前記制御部は、前記光源を点灯させるとき、前記光源を点灯するときの前記目標輝度に対応する前記光源特性を用いて、現在の累積点灯時間に対し少なくとも直前の２つの累積点灯時間または直前と直後の累積点灯時間に対応する標本駆動電力を求め、該求めた標本駆動電力を用いて現在の累積点灯時間に対応する目標駆動電力を求め、該求めた目標駆動電力を用いて前記光源駆動部に前記光源を点灯させる、請求項２に記載の投写型表示装置。
【請求項４】
前記記憶部に記憶されている前記光源特性は、少なくとも２つ以上の前記目標輝度に対する光源特性を含み、
前記制御部は、前記光源特性に含まれていない目標輝度に変更するとき、前記光源特性を用いて、現在の累積点灯時間に対し少なくとも直前の２つの累積点灯時間または直前と直後の累積点灯時間に対応する標本駆動電力を少なくとも２種類の目標輝度毎に求め、該求めた標本駆動電力を用いて現在の累積点灯時間に対応する目標駆動電力を求め、該求めた目標駆動電力を用いて前記光源駆動部に前記光源を点灯させる、請求項３に記載の投写型表示装置。
【請求項５】
前記制御部は、所定の条件を満たした場合に前記目標輝度毎に前記光源の累積点灯時間と前記光源駆動電力とを関連付けて前記光源特性として記憶部に記憶する、請求項１乃至４のいずれか１項に記載の投写型表示装置。
【請求項６】
前記所定の条件は、
光源の出力輝度が変更されたことを示す信号を検出したとき、
前回の、前記累積点灯時間および前記光源駆動電力を前記記憶部に記憶する光源記憶処理を行ってから所定の時間が経過したとき、
前記検出輝度と前記目標輝度との差が所定の値より小さくなるように調整する輝度調整処理を行ったとき、
前記光源を点灯することを示す信号を検出したとき、
前記光源を消灯することを示す信号を検出したとき、および、
前記目標輝度が変更されるとき、
新しい前記目標輝度が設定されたとき、
のうち、少なくとも１つである、請求項５に記載の投写型表示装置。
【請求項７】
前記光源特性は、光源の種類毎に記憶されている、請求項１乃至６のいずれか１項に記載の投写型表示装置。
【請求項８】
前記映像表示装置は、前記光源が交換されたことを検出する交換検出部をさらに備え、
前記制御部は、前記光源が交換されたことを検出すると、前記光源の累積点灯時間を０時間にする、請求項１乃至７のいずれか１項に記載の投写型表示装置。
【請求項９】
記憶部に記憶される光源特性は、交換前の光源の光源特性を保持したまま交換後の光源の光源特性を追加して記憶する、請求項１乃至８のいずれか１項に記載の投写型表示装置。
【請求項１０】
投写型表示装置の光源制御方法であって、
光源に光源駆動電力を供給し、
前記光源が出力する光に対応する検出輝度を検出し、
前記光源が点灯したときの目標となる目標輝度毎に、前記光源が点灯した時間を累積した累積点灯時間と前記光源駆動電力との関係を示す光源特性を記憶し、
前記光源が点灯すると、前記検出輝度と前記目標輝度との差が所定の値より小さくなるように前記光源駆動部を制御する、光源制御方法。
【発明の詳細な説明】
【技術分野】
【０００１】
本発明は、投写型表示装置および光源制御方法に関し、特に、投写映像を適切な明るさで投写する技術に関する。
【背景技術】
【０００２】
プロジェクタのような投写型表示装置を用いて映画などの上映が行われている。プロジェクタは、投写面に映像を投写して表示する。プロジェクタは、映像を投写するための光源として、超高圧水銀ランプやキセノンランプ等のランプを備えている。映画などの上映において、上映するコンテンツに応じてプロジェクタから投写される投写映像の、投写面における画面輝度を調整し、コンテンツに適切な明るさ（輝度）で上映することが望まれる。
【０００３】
プロジェクタの画面輝度の調整は、光源として用いられるランプの出力輝度を調整することで行われる。プロジェクタは、ランプの出力輝度を検出する輝度センサと、制御部と、記憶部とを備えている。記憶部は、ユーザが所望する画面輝度を得るため、画面輝度に対応するランプの目標輝度を記憶する。制御部は、ランプを点灯させる旨の指示を受け付けると、光源駆動電力を供給してランプを点灯した後、輝度センサを用いて検出したランプの出力輝度と、記憶部に記憶したランプの目標輝度とが一致するようにランプの駆動電力（光源駆動電力）を制御する。
【０００４】
例えば、コンテンツＣｘを上映する場合を説明する。ユーザは、上映するコンテンツＣｘに対し、プロジェクタの出力輝度を調整する。ユーザは、画像を投写する投写面例えばスクリーンの中央付近近傍に画面輝度を検出する輝度センサを配置し、コンテンツＣｘに最適な画面輝度になるようにランプの出力輝度を調整する。最適な画面輝度に調整すると、ユーザはこのときのランプの出力輝度を検出する輝度センサを用いて検出した検出輝度を目標輝度として記憶部に記憶させる。プロジェクタは、ランプが点灯されると、輝度センサを用いて検出した検出輝度が記憶部に記憶された目標輝度と一致するように調整し、コンテンツＣｘを上映する。
【０００５】
また、特許文献１には、ランプの使い始めからの点灯時間の累積値である累積点灯時間を記録し、予め記憶されたランプの使い始めから使い終わりまでの経時変化を示す発光特性データと累積点灯時間の情報によりランプの明るさを制御することで、経時変化による輝度劣化を補正することが記載されている。また、複数の種類のランプの発光特性データをそれぞれの電力補正テーブルＡ、Ｂ、Ｃとして記憶し、照明識別手段によりランプの種類を識別し、ランプの種類に応じて電力補正テーブルＡ、Ｂ、Ｃを切り替えることで、様々な種類のランプに対して最適な制御をすることが記載されている。
【先行技術文献】
【特許文献】
【０００６】
【特許文献１】特開２００５−２４１７０８号公報
【発明の概要】
【発明が解決しようとする課題】
【０００７】
一般的に、ランプは、ランプの点灯時間に応じてランプの特性が変化することが知られている。例えば、ランプの使い始めからの点灯時間の累積値である累積点灯時間が長くなると、同じ光源駆動電力を用いて駆動してもランプの出力輝度が下がることが知られている。この場合、一定の画面輝度を得るためには、光源駆動電力を初期の光源駆動電力に対して大きくする必要がある。図７に、所定のランプを用いて一定の画面輝度になるように点灯させたときの累積点灯時間とランプの光源駆動電力との関係の一例を示す。横軸は累積点灯時間（単位：時間）を示し、縦軸は光源駆動電力（単位：Ｗ）を示す。
【０００８】
つまり、光源が出力する輝度（出力輝度）を検出して画面輝度を所定の値に一定に保つように制御する場合、ランプ（光源）の累積点灯時間が長くなると、目標輝度と一致する出力輝度になるまでに時間がかかるという問題があった。なぜなら予め設定される、ランプに供給される光源駆動電力の初期値と、目標輝度を得るための光源駆動電力との差が大きくなるからである。
【０００９】
また、特許文献１では、経時変化を示す発光特性データと累積点灯時間の情報によりランプの明るさを制御することで、経時変化による輝度劣化を補正するが、予め記憶されたランプの発光特性データは、明るく投写する場合や省エネを重視する場合などのモードを予め特定して記憶しており、ユーザが希望する画面輝度とは異なる。特に、映画などの上映においては、上映するコンテンツに応じてプロジェクタから投写される投写画像の画面輝度を調整し、コンテンツに適切な明るさで上映することが望まれる。従って、特許文献１に記載の技術では、コンテンツ毎に調整された画面輝度に一定に保つためには、使用可能な全てのランプの種類の、全ての輝度に対応した発光特性データを予め記憶しておく必要がある。この場合、非常に大きなメモリが必要となる。
【００１０】
本発明は、上記課題に着目し、光源の累積点灯時間が長くなっても、複数の目標輝度に対して速やかに収束させることを目的とする。
【課題を解決するための手段】
【００１１】
上記目的を達成するために本発明の投写型表示装置は、
光源と、
前記光源に光源駆動電力を供給する光源駆動部と、
前記光源が出力する光に対応する検出輝度を検出する輝度検出部と、
前記光源が点灯したときの目標となる目標輝度毎に、前記光源が点灯した時間を累積した累積点灯時間と前記光源駆動電力との関係を示す光源特性を記憶する記憶部と、
前記光源が点灯すると、前記検出輝度と前記目標輝度との差が所定の値より小さくなるように前記光源駆動部を制御する制御部と、を備える。
【００１２】
また、上記目的を達成するために本発明の光源制御方法は、
光源に光源駆動電力を供給し、
前記光源が出力する光に対応する検出輝度を検出し、
前記光源が点灯したときの目標となる目標輝度毎に、前記光源が点灯した時間を累積した累積点灯時間と前記光源駆動電力との関係を示す光源特性を記憶し、
前記光源が点灯すると、前記検出輝度と前記目標輝度との差が所定の値より小さくなるように前記光源駆動部を制御する。
【発明の効果】
【００１３】
本発明によれば、複数の目標輝度に対応する光源特性を記憶するので、光源の累積点灯時間が長くなっても、それぞれの目標輝度に対して速やかに収束させることができる。
【図面の簡単な説明】
【００１４】
【図１】本発明の第１の実施形態に係る投写型表示装置の構成を示すブロック図である。
【図２】本発明の第１の実施形態に係る投写型表示装置の処理手順の一例を示すフローチャートである。
【図３】本発明の第１の実施形態に係る所定の光源１１を用いて一定の画面輝度になるように点灯させたときの光源特性の一例を示す図である。
【図４】本発明の第２の実施形態に係る投写型表示装置の構成を示すブロック図である。
【図５】本発明の第３の実施形態に係る投写型表示装置の構成を示すブロック図である。
【図６】本発明の第１の実施形態に係る所定の光源１１を用いて一定の画面輝度になるように点灯させたときの光源特性の一例を示す図である。
【図７】所定の光源を用いて一定の画面輝度になるように点灯させたときの光源特性の一例を示す図である。
【発明を実施するための形態】
【００１５】
以下、本発明の実施形態について添付の図面を参照して説明する。なお、本明細書および図面において、同一の機能を有する構成要素については同じ符号を付することにより重複説明を省略する場合がある。
（第１の実施形態）
図１は、本発明の第１の実施形態に係る投写型表示装置であるプロジェクタ１０の構成を示すブロック図である。プロジェクタ１０は映像表示装置の一例である。プロジェクタ１０は、光源１１と、光源駆動部１２と、照明光学部１３と、信号入力部１４と、映像処理部１５と、表示駆動部１６と、表示部１７と、投写光学部１８と、記憶部１９と、制御部２０とを有する。
【００１６】
光源１１は、超高圧水銀ランプやキセノンランプなどのランプである。光源１１は、供給される光源駆動電力に応じて映像を表示するための光を出力する。光源１１は、超高圧水銀ランプやキセノンランプなど、その材料に基づく種類の他、定格電力などを用いてその種類を分類されてもよい。
【００１７】
光源駆動部１２は、所定の光源駆動電力を光源１１に供給する。光源駆動部１２は光源１１を駆動する。
【００１８】
照明光学部１３は、光源１１から出力された光を表示部１７に照射する。照明光学部１３は輝度センサ１３１を備える。輝度センサ１３１は、光源１１と表示部１７との間に配置され、光源１１が出力する光（出力輝度）に対応する検出輝度を検出する。輝度センサ１３１は、輝度検出部の一例である。
【００１９】
信号入力部１４は、映像信号が入力され、入力された映像信号を映像処理部１５に出力する。信号入力部１４は、複数の映像信号が入力され、入力された複数の映像信号の内いずれか１つを選択して後段のブロックである映像処理部１５などに出力するようにしてもよい。また、信号入力部１４は、ＨＤＭＩ（登録商標）規格などに対応した所定の形式の映像信号を、後段のブロックが処理するための適切な別の形式の映像信号に変換するようにしてもよい。
【００２０】
映像処理部１５は、入力された映像信号に各種の信号処理を行い、表示駆動部１４に出力する。映像処理部１５が行う信号処理は、例えば、入力映像信号の解像度を表示素子の解像度に変換する解像度変換処理、入力映像信号を適切な色に補正する色補正処理、入力映像信号を適切な輝度に変換するガンマ補正処理、投写面に斜め方向から投写したときに発生する台形歪を補正する台形歪補正処理である。
【００２１】
表示駆動部１６は、入力された映像信号に基づいて表示部１７を駆動する。
【００２２】
表示部１７は、表示素子である液晶パネルまたはＤＭＤ（Ｄｉｇｉｔａｌ  Ｍｉｃｒｏｍｉｒｒｏｒ  Ｄｅｖｉｃｅ）などを備える。表示部１７は、表示駆動部１６の駆動に応じて照明光学部１３から照射された光を変調して投写光学部１８に出力する。
【００２３】
投写光学部１８は、表示部が変調した光をスクリーンなどの投写面に投写する。つまり、投写光学部１８は、映像を投写面に投写する。投写光学部１８は、映像を投写する投写レンズや投写ミラーを備える。
【００２４】
表示部１７は、例えば、赤色、緑色、青色に対応する３つの表示素子を備えてもよい。この場合、照明光学部１３は、光源１１が出射した光を赤色、緑色、青色の光に分離し、分離した光をそれぞれの光に対応する表示素子に照射する。また、表示部１７または投写光学部１８は、表示素子が変調した光を合成する。
【００２５】
また、表示部１７は、例えば、１つの表示素子を備えてもよい。この場合、照明光学部１３は、光源１１が出射した光を赤色、緑色、青色の光に時間的に分離（時分割）し、分離した光を表示素子に照射する。表示素子に照射された光は、それぞれの光に対応する映像信号に基づいて変調される。
【００２６】
記憶部１９は、制御部２０が動作するためのプログラムを記憶している。また、記憶部１９は、光源が点灯したときの目標となる目標輝度毎に、前記光源が点灯した時間を累積した累積点灯時間と前記光源駆動電力との関係を示す光源特性を記憶する。また、記憶部１９は、光源の累積点灯時間を記憶する。また、記憶部１９は、光源を点灯するときの目標輝度を記憶する。なお、光源を点灯するときの目標輝度は、表示装置の使用者が光源を点灯するときに指示するようにしても良い。
【００２７】
目標輝度は、投写面上の画面輝度に対応する検出輝度である。例えば、投写面上の画面輝度が３００００ルーメンとなるときの検出輝度が画面輝度＝３００００ルーメンの目標輝度として設定される。
【００２８】
制御部２０は、プロジェクタ１０が有する各部と信号（情報）の送受信を行い、プロジェクタ１０の動作を制御する。制御部２０は、光源１１を点灯させるとき、記憶部１９が記憶する光源特性に基づいて光源駆動電力を設定する。また、制御部２０は、光源１１が点灯すると、輝度センサ１３１が検出した検出輝度と目標輝度との差が所定の値より小さくなるように光源駆動部１２を制御する。
【００２９】
次に、本実施形態の動作について、図２、図３および表１を用いて説明する。本実施形態では、コンテンツＣａ、Ｃｂ、Ｃｃを上映する場合を説明する。なお、コンテンツＣａの適切な画面輝度は３００００ルーメン（以下、ルーメンはｌｕｍｅｎまたはｌｍと記載することもある）とする。また、コンテンツＣｂ、Ｃｃの適切な画面輝度はそれぞれ２５０００ルーメン、２２０００ルーメンとする。また、コンテンツＣａ、Ｃｂ、Ｃｃに対応する目標輝度を、それぞれ目標輝度Ｙａ、Ｙｂ、Ｙｃとする。
【００３０】
図２は、本実施形態の処理手順の一例を示すフローチャートである。
【００３１】
図３は、所定の光源１１を用いて一定の画面輝度になるように点灯させたときの理想光源特性（累積点灯時間と光源駆動電力との関係）を示す図である。なお、画面輝度３００００ルーメン、２５０００ルーメン、２２０００ルーメンでそれぞれ点灯したときの光源の駆動電力を点線（Ｌａ、Ｌｂ、Ｌｃ）で示している。
【００３２】
表１は、所定の光源１１を用いて一定の画面輝度になるように点灯させたときの累積点灯時間と光源駆動電力との関係を示す表（ルックアップテーブル）であり、光源特性を示す表である。表１が示す累積点灯時間と光源駆動電力との関係は、図３の黒丸点（Ｐ１、Ｐ２、・・・Ｐｎ）にそれぞれ対応している。ある画面輝度で点灯したときの光源１１の駆動電力は、累積点灯時間の他それまでの駆動電力値に依存するので、実際の駆動電力（黒丸）と理想光源特性（点線）とが一致するとは限らない。
【００３３】
【表１】
2016184086.tif 000003
【００３４】
最初に、プロジェクタ１０に電源が投入されると、プロジェクタ１０はスタンバイ状態に移行する。スタンバイ状態は、光源１１が点灯していない状態である。制御部２０は、スタンバイ状態において光源１１の点灯を示す指示を検出する（ステップＳ１０：Ｙｅｓ）と、記憶部１９に記憶されている光源特性が有効か否かを判定する（ステップＳ１１）。なお、光源特性として有効な情報が記憶されている場合に光源特性が有効と判定される。プロジェクタ１０の初期状態において、光源特性は有効でない（無効である）とする。つまり、プロジェクタ１０の初期状態は光源特性として有効な情報が記憶されていない状態とする。なお、プロジェクタ１０の初期状態は有効な情報が記憶されている状態でもよい。
【００３５】
ステップＳ１１において、Ｎｏ（光源特性が無効）と判定されると、制御部２０は、初期値として記憶部１１に予め記憶されている目標輝度を取得し（ステップＳ１４）、初期値として記憶部１１に予め記憶されている光源駆動電力を光源駆動部１２に設定し（ステップＳ１５）、ステップＳ１６に移行する。光源駆動部１２は設定された光源駆動電力を光源１１に供給する。光源駆動部１２は光源１１を駆動（点灯）する。なお、光源１１が点灯している状態を、スタンバイ状態に対し映像表示状態とする。
【００３６】
また、プロジェクタ１０の初期状態は光源１１の代表的な光源特性が記憶されている状態でもよい。この場合、ステップＳ１１、Ｓ１４、Ｓ１５は削除でき、ステップＳ１２において、初期値として記憶部１１に予め記憶されている目標輝度を取得し、代表的な光源特性に基づいて光源駆動電力を光源駆動部１２に設定する（ステップＳ１３）。
【００３７】
ステップＳ１１において、Ｙｅｓ（光源特性が有効）と判定されると、制御部２０は、光源１１を点灯するときの目標輝度を取得する（ステップＳ１２）。次に、制御部２０は、取得した目標輝度に対応する光源駆動電力を、光源１１の現在の累積点灯時間と光源特性に基づいて光源駆動部１２に設定し（ステップＳ１３）、ステップＳ１６に移行する。なお、光源１１を点灯するときの目標輝度は、初期値、または、前回光源１１を消灯したときに選択されていた目標輝度とする。また、光源１１を点灯するときの目標輝度は、コンテンツを上映するときにコンテンツ名を選択し、コンテンツ名に対応した目標輝度としてもよい。
【００３８】
詳細には、制御部２０は、光源１１の現在の累積点灯時間と目標輝度に対応する情報が光源特性に有る場合、現在の累積点灯時間に対応する情報に基づいて光源駆動電力を設定する。例えば、コンテンツＣａを表示する場合、表１において、光源特性として、コンテンツＣａ（目標輝度Ｙａ）に対応し、累積点灯時間がｔｋ＝１００時間の情報が記憶されているとする。また、光源１１の現在の累積点灯時間が１００時間であるとすると、コンテンツＣａに対応する、目標輝度＝Ｙａルーメン、累積点灯時間ｔｋ＝１００時間に対応する標本駆動電力Ｐ（ｔｋ）＝６８３０［Ｗ］を目標駆動電力として現在の光源駆動電力に設定する。
【００３９】
また、現在の累積点灯時間以上の累積点灯時間と目標輝度に対応する情報が無く、現在の累積点灯時間より短い累積点灯時間と目標輝度に対応する情報が有る場合、現在の累積点灯時間より短い累積点灯時間と目標輝度に対応する情報に基づいて光源駆動電力を設定する。詳細には、現在の累積点灯時間の直前の累積点灯時間に対応する光源駆動電力を標本駆動電力として取得し、標本駆動電力を目標駆動電力として現在の光源駆動電力に設定する。例えば、コンテンツＣｂを表示する場合、表１において、光源特性として、コンテンツＣｂ（目標輝度Ｙｂ）に対応し、累積点灯時間が４６０時間までの情報が記憶され、４６０時間以降の情報が記憶されていないとする。また、光源１１の現在の累積点灯時間が４７０時間であるとすると、目標輝度＝Ｙｂルーメン、累積点灯時間ｔｋ＝４７０時間の直前の累積点灯時間ｔｋ−１＝４６０時間に対応する標本駆動電力Ｐ（ｔｋ−１）＝５７９１［Ｗ］を目標駆動電力Ｐ（ｔｋ）とし、現在の光源駆動電力として設定する。
【００４０】
また、現在の累積点灯時間に対し直前の２つの累積点灯時間に対応する光源駆動電力である標本駆動電力を取得し、取得した標本駆動電力の、累積点灯時間と光源駆動電力との関係を示すグラフ上の２点を結ぶ直線の延長上に得られる光源駆動電力を目標駆動電力として現在の光源駆動電力に設定してもよい。例えば、コンテンツＣｂを表示する場合、表１において、光源特性として、コンテンツＣｂ（目標輝度Ｙｂ）に対応し、累積点灯時間が４６０時間までの情報が記憶され、４６０時間以降の情報が記憶されていないとする。また、光源１１の現在の累積点灯時間が４７０時間であるとすると、目標輝度＝Ｙｂルーメン、累積点灯時間ｔｋ＝４７０時間の直前の２点の累積点灯時間ｔｋ−２＝３６０時間およびｔｋ−１＝４６０時間に対応する標本駆動電力は、Ｐ（ｔｋ−２）＝５７６３［Ｗ］およびＰ（ｔｋ−１）＝５７９１［Ｗ］である。これらから累積点灯時間ｔｋ＝４７０時間に対応する目標駆動電力Ｐ（ｔｋ）＝５７９４［Ｗ］を算出し、現在の光源駆動電力として設定する。
【００４１】
また、現在の累積点灯時間と目標輝度に対応する情報が無く、現在の累積点灯時間よりも短い累積点灯時間および長い累積点灯時間と目標輝度に対応する情報が有る場合、現在の累積点灯時間よりも短い累積点灯時間および現在の累積点灯時間よりも長い累積点灯時間と目標輝度に対応する情報に基づいて光源駆動電力を設定する。例えば、現在の累積点灯時間の直前および直後の累積点灯時間および光源駆動電力を取得し、線形補間を行い、現在の累積点灯時間に対応する現在の光源駆動電力を設定する。例えば、コンテンツＣｂを表示する場合、表１において、光源１１の現在の累積点灯時間が４００時間であるとする。目標輝度＝Ｙｂルーメン、累積点灯時間ｔｋ＝４００時間の直前の累積点灯時間ｔｋ−１＝３６０時間に対応する標本駆動電力は、Ｐ（ｔｋ−１）＝５７６３［Ｗ］となる。また、累積点灯時間ｔｋ＝４００時間の直後の累積点灯時間ｔｋ＋１＝４６０時間に対応する標本駆動電力は、Ｐ（ｔｋ＋１）＝５７９１［Ｗ］となる。これらから累積点灯時間ｔｋ＝４００時間に対応する目標駆動電力Ｐ（ｔｋ）＝５７７４［Ｗ］を算出し、現在の光源駆動電力として設定する。ここで、記号ｔｋ、ｔｋ−１のｋ、ｋ−１はｔに対する添え字を意味しており、ｔｋ−１はｔｋに対し同じ目標輝度に対応する時間的に１つ前の情報を意味している。また、記号ｔｋ＋１はｔｋに対し１つ後の情報を意味している。
【００４２】
上記のように光源駆動電力を設定することにより、例えば、光源１１を光源１１の寿命まで使用した後、新品の光源１１に交換した場合などにプロジェクタは適切な動作を行うことができる。つまり、所定の光源１１を用いて動作させ、光源特性を作成した後、同じ種類の光源１１を同じ条件で使用する場合などに、特に有効となる。
【００４３】
光源１１は制御部２０が設定した光源駆動電力を用いて駆動される。制御部２０は、光源１１が点灯すると光源１１の点灯時間の計測を開始すると共に記憶部１９に記憶された光源１１の過去の累積点灯時間と計測している点灯時間とを用いて現在の累積点灯時間を計測する（ステップＳ１６）。制御部２０は、所定の時間毎例えば１０分毎に、記憶部１９に記憶されている光源１１の累積点灯時間を更新する。なお、累積点灯時間の更新間隔は、光源１１が連続して点灯される連続点灯時間が短い場合は、連続点灯時間よりも十分短く設定することで累積点灯時間の誤差を小さくすることができる。また、光源１１を消灯したときに光源１１の累積点灯時間を更新するようにしてもよい。
【００４４】
光源１１が点灯すると、制御部２０は、照明光学部１３が備える輝度センサ１３１を用いて光源１１の出力輝度に対応する検出輝度を取得する（ステップＳ１７）。また、制御部２０は、輝度センサ１３１が検出した検出輝度と記憶部１９から取得した目標輝度とに基づいて光源駆動部１２を制御する。光源駆動部１２は制御部２０の指示に基づいて光源駆動電力を調整する（ステップＳ１８）。例えば、制御部２０は、目標輝度と検出輝度とを比較し、その輝度差が所定の値より大きくなると、その輝度差が所定の値より小さくなるように光源駆動部１２を制御する（調整を開始する）。詳細には、その輝度差が所定の値より大きく、検出輝度より目標輝度が大きい場合は光源駆動電力を増加させ、検出輝度より目標輝度が小さい場合は光源駆動電力を減少させる。輝度差が所定の値よりも小さくなると調整処理を終了する。制御部２０が光源駆動部１２を介して光源１１の出力輝度を調整し、検出輝度と目標輝度との差が所定の値より小さくなるように調整することを輝度調整処理とする。なお、輝度調整処理を終了するときの所定の値と開始するときの所定の値とは異なっていてもよい。この場合、輝度調整処理を終了するときの所定の値は開始するときの所定の値より小さいことが望ましい。
【００４５】
その後、制御部２０は、ステップＳ１７からステップＳ１８の処理を繰り返すが、前回の、光源特性を記憶部１９に記憶する光源特性記憶処理の後、所定の時間、例えば１００時間が経過する（ステップＳ１９：Ｙｅｓ）と、記憶部１９に光源特性を追加して記憶する（光源特性記憶処理を実行する）（ステップＳ２０）。なお、ステップ１８で求めた輝度差が所定の値より大きい場合に輝度調整処理を行った後、光源特性記憶処理をするようにしてもよい。
【００４６】
つまり、制御部２０は、光源１１を点灯する旨の指示を検出すると、光源１１を点灯するときの目標輝度、光源１１の累積点灯時間および光源特性に基づいて光源１１を点灯させる。詳細には、例えば、前記制御部は、前記光源を点灯させるとき、前記光源を点灯するときの前記目標輝度に対応する前記光源特性を用いて、現在の累積点灯時間に対し少なくとも直前の２つの累積点灯時間または直前と直後の累積点灯時間に対応する標本駆動電力を求める。求めた標本駆動電力を用いて現在の累積点灯時間に対応する目標駆動電力を求め、求めた目標駆動電力を用いて前記光源駆動部に前記光源を点灯させる。また、制御部２０は、光源１１が点灯すると、輝度センサ１３１が検出した検出輝度と目標輝度との差が所定の値より小さくなるように光源駆動部１２を制御する。
【００４７】
次に、光源特性を記憶する処理について具体例をあげて説明する。
【００４８】
プロジェクタ１０の初期状態において、光源特性は有効な情報が記憶されていない状態とする。まず、上映するコンテンツＣａに対し、プロジェクタ１０の投写映像の画面輝度がユーザの操作に応じて調整される。なお、ユーザの操作は、プロジェクタ１０が備えるボタンやプロジェクタ１０を操作するリモコンなどを含む操作部を介して行われる。詳細には、画面輝度を検出する輝度センサ（図示せず）が映像を投写する投写面の中央付近近傍に配置され、コンテンツＣａに適切な画面輝度になるように、光源１１の出力輝度がユーザの操作に応じて調整される。以下調整は速やかに実行されるものとする。画面輝度が適切な値（３００００ルーメン）に調整されると、制御部２０は、ユーザの操作例えば調整値の保存を示す操作に応じて、このときの光源１１の出力輝度に対応する検出輝度（＝Ｙａ）に対し累積点灯時間と光源駆動電力とをと関連付けて光源特性として記憶部１９に記憶する。このときの検出輝度が目標輝度となる。これは、図３の点Ｐ１に対応し、表１に示されるように、コンテンツＣａ（目標輝度＝Ｙａ［ルーメン］）に対応して、累積点灯時間＝０［時間］、目標光源駆動電力＝６８００［Ｗ］として記憶される。このとき、コンテンツ名（コンテンツＣａ）と、光源１１の出力輝度に対応する各種値（目標輝度＝Ｙａ［ルーメン］、累積点灯時間、目標光源駆動電力）とを関連付けて記憶する。このときに記憶される情報は、累積点灯時間と光源駆動電力との関係を示す光源特性の一例である。また、光源特性は、光源１１の種類や光源１１の輝度毎に管理される。光源特性を記憶する処理は光源特性記憶処理の一例である。光源特性が記憶されると光源特性は有効と判定される。
【００４９】
その後、プロジェクタ１０はコンテンツＣａを上映するとする。
【００５０】
制御部２０は、前回の光源特性記憶処理の後、所定の時間、例えば１００時間が経過すると、現在の累積点灯時間と光源駆動電力とを記憶部１９に記憶する（光源特性記憶処理を実行する）。例えば、前回の光源特性記憶処理が累積点灯時間ｔ＝０［時間］のときに行われ、コンテンツＣａを上映したとすると、制御部２０は累積点灯時間がｔ≧１００［時間］＝０＋１００＝（前回の光源特性記憶処理を行った時間）＋（所定の時間）になると光源特性記憶処理を行う。なお、ｔ＝１００［時間］になる前に光源１１が消灯されてもよい。この場合、光源１１が再度点灯され、累積点灯時間がｔ≧１００［時間］になると光源特性記憶処理を行う。これは、図３の点Ｐ２に対応し、表１に示されるように、コンテンツＣａ（検出輝度＝Ｙａ［ルーメン］）に対応して、累積点灯時間＝１００［時間］、目標光源駆動電力＝６８３０［Ｗ］として記憶される。
【００５１】
次に、累積点灯時間が１６０時間のときに、上映するコンテンツがコンテンツＣａからコンテンツＣｂに変更され、コンテンツＣｂに対し、プロジェクタ１０の投写映像の画面輝度がユーザの操作に応じて調整されたとする。画面輝度が適切な値（２５０００ルーメン）に調整されると、制御部２０は、ユーザの操作に応じて、このときの光源１１の出力輝度に対応する検出輝度（＝Ｙｂ）と関連付けて累積点灯時間と光源駆動電力とを記憶部１９に記憶する。これは、図３の点Ｐ３に対応し、表１に示されるように、コンテンツＣｂ（目標輝度＝Ｙｂ［ルーメン］）に対応して、累積点灯時間＝１６０［時間］、目標光源駆動電力＝５７０３［Ｗ］として記憶される。
【００５２】
また、累積点灯時間が２００時間のときに、上映するコンテンツがコンテンツＣｂからコンテンツＣｃに変更され、コンテンツＣｃに対し、プロジェクタ１０の投写映像の画面輝度がユーザの操作に応じて調整されたとする。画面輝度が適切な値（２２０００ルーメン）に調整されると、制御部２０は、ユーザの操作に応じて、このときの光源１１の出力輝度に対応する検出輝度と関連付けて累積点灯時間と光源駆動電力とを記憶部１９に記憶する。これは、図３の点Ｐ４に対応し、表１に示されるように、コンテンツＣｃ（目標輝度＝Ｙｃ［ルーメン］）に対応して、累積点灯時間＝２００［時間］、目標光源駆動電力＝５０３３［Ｗ］として記憶される。また、コンテンツＣｃを上映し、累積点灯時間がｔ≧３００＝２００＋１００［時間］になると光源特性記憶処理を行う。これは、図３の点Ｐ５に対応し、表１に示されるように、コンテンツＣｃ（目標輝度＝Ｙｃ［ルーメン］）に対応して、累積点灯時間＝３００［時間］、目標光源駆動電力＝５０５５［Ｗ］として記憶される。
【００５３】
また、累積点灯時間が３６０時間のときに、上映するコンテンツがコンテンツＣｃからコンテンツＣｂに変更されると、累積点灯時間に基づき、例えば前回の光源駆動電力＝５７０３［Ｗ］に設定する。その後、輝度センサ１３１が検出する検出輝度に応じて光源１１の出力輝度を調整し、目標検出輝度Ｙｂと現在検出輝度との差が所定の値より小さくなると、光源特性記憶処理を実行する。ここで、調整処理が速やかに実行されたとし、累積点灯時間が３６０時間のときに記憶処理が実行されたとする。これは、図３の点Ｐ６に対応し、表１に示されるように、コンテンツＣｂ（検出輝度＝Ｙｂ［ルーメン］）に対応して、累積点灯時間＝３６０［時間］、目標光源駆動電力＝５７６３［Ｗ］として記憶される。
【００５４】
また、例えば、前回の光源駆動電力＝５７０３［Ｗ］に設定したときに目標検出輝度Ｙｂと現在検出輝度との差が所定の値より小さい場合にも、前回の光源特性記憶処理からの経過時間に基づいて、光源特性記憶処理を実行してもよい。例えば、コンテンツＣｂに対応する光源特性は、ｔ＝１６０時間の情報が前回の情報である。つまり、前回の光源特性記憶処理は累積点灯時間ｔ＝１６０時間のときに実行されていることになる。現在の累積点灯時間はｔ＝３６０時間であり、［現在の累積点灯時間］≧［前回の情報の累積点灯時間（１６０時間）］＋［所定の時間（１００時間）］である。つまり、前回の光源特性記憶処理の後、所定の時間（１００時間）が経過していることになる。このとき、現在の累積点灯時間と光源駆動電力とを記憶部１９に記憶する（光源特性記憶処理を実行する）。なお、光源特性記憶処理を実行する前に輝度調整処理を実行してもよい。
【００５５】
その後、コンテンツＣｂを上映し、累積点灯時間がｔ≧４６０＝３６０＋１００［時間］になると光源特性記憶処理を行う。これは、図３の点Ｐ７に対応し、表１に示されるように、コンテンツＣｂ（目標輝度＝Ｙｂ［ルーメン］）に対応して、累積点灯時間＝４６０［時間］、目標光源駆動電力＝５７９１［Ｗ］として記憶される。同様に、累積点灯時間がｔ≧５６０＝４６０＋１００［時間］になると光源特性記憶処理を行う。これは、図３の点Ｐ８に対応し、表１に示されるように、コンテンツＣｂ（目標輝度＝Ｙｂ［ルーメン］）に対応して、累積点灯時間＝５６０［時間］、目標光源駆動電力＝５８１９［Ｗ］として記憶される。
【００５６】
以降、ユーザが行う所定の操作例えば光源１１の出力輝度を調整した後光源特性記憶処理の実行を示す信号（光源の出力輝度が変更されたことを示す信号など）を検出したとき、などの条件を満たした場合に目標輝度毎に光源１１の累積点灯時間と光源駆動電力とを関連付けて光源特性として記憶部１９に記憶される。また、前回の光源特性記憶処理を行ってから所定の時間が経過したとき、輝度調整処理を行ったとき、などの条件を満たした場合にも目標輝度毎に光源１１の累積点灯時間と光源駆動電力とを関連付けて光源特性として記憶部１９に記憶される。また、目標輝度（コンテンツまたは画面輝度）が変更されるとき、光源１１を点灯することを示す信号を検出したとき（光源１１が点灯して安定した後）、などの条件を満たした場合にも目標輝度毎に光源１１の累積点灯時間と光源駆動電力とを関連付けて光源特性として記憶部１９に記憶される。また、光源１１を消灯することを示す信号を検出したとき（光源を消灯する前）、新しいが設定されたとき、などの条件を満たした場合にも目標輝度毎に光源１１の累積点灯時間と光源駆動電力とを関連付けて光源特性として記憶部１９に記憶される。なお、上記全てのタイミングにおいて記憶する必要はない。
【００５７】
また、例えば、光源１１の寿命である２０００時間か経過すると、新品の光源１１に交換される。光源１１が交換される前の光源特性が点Ｐｎに対応する。ユーザは光源１１を交換すると累積点灯時間をリセットし、光源１１に対応する累積点灯時間を０時間にする。
【００５８】
本実施形態によれば、複数の目標輝度に対応する光源特性を記憶するので、光源の累積点灯時間が長くなっても、それぞれの目標輝度に対して速やか収束させることができる。
【００５９】
本実施形態によれば、光源の動作電力範囲内において、目標輝度を自由に設定することができ、自由に設定した目標輝度に対応する光源特性を記憶するので、光源の累積点灯時間が長くなっても、設定した目標輝度に対して速やかに収束させることができる。
【００６０】
本実施形態によれば、プロジェクタはコンテンツに応じた最適な画面輝度に調整してコンテンツを上映することができる。
【００６１】
本実施形態によれば、コンテンツ名と、光源１１の出力輝度に対応する各種値（目標輝度、累積点灯時間、光源駆動電力）とを関連付けて記憶しているので、ユーザは、コンテンツ名を指定することにより、簡単に画面輝度を設定することができる。
（第２の実施形態）
図４は、本発明の第２の実施形態に係る投写型表示装置であるプロジェクタ３０の構成を示すブロック図である。なお、第１の実施形態に係るプロジェクタ１０と共通する部分については説明を省略する。以下、プロジェクタ１０との相違点について主に説明する。
【００６２】
プロジェクタ３０は、光源１１と、光源駆動部１２と、照明光学部１３と、信号入力部１４と、映像処理部１５と、表示駆動部１６と、表示部１７と、投写光学部１８と、記憶部１９と、制御部４０とを有する。
【００６３】
第２の実施形態は、第１の実施形態で作成された光源特性に基づいて光源駆動電力を制御する。
【００６４】
制御部４０は、光源特性にない目標輝度に変更するとき、記憶部１９に記憶された、変更後の目標輝度より大きい目標輝度および小さい目標輝度に対応する光源特性から光源１１の累積点灯時間の前後の時間に相当する光源特性を用いて現在の光源駆動電力を算出する。
【００６５】
表２は、表１と同様の光源特性を示す表である。ただし、表１に対しコンテンツ名にかえて画面輝度に関連して各種値を記憶する場合を示す。
【００６６】
【表２】
2016184086.tif 000004
【００６７】
例えば、現在の累積点灯時間が２５０時間のときに、制御部４０が画面輝度を２３０００ルーメンに調整する場合を説明する。制御部４０は、画面輝度を変更するユーザの操作に応じて画面輝度が２３０００ルーメンになるように調整する。例えば、表２に示すように、画面輝度＝２５０００ルーメンおよび２２０００ルーメンのときの光源特性が記憶されているとする。画面輝度＝２５０００ルーメンのときの累積点灯時間＝１６０時間、光源駆動電力（標本駆動電力）＝５７０３［Ｗ］と、累積点灯時間＝３６０時間、光源駆動電力（標本駆動電力）＝５７６３［Ｗ］とを用いて、例えば線形補間を行う。これにより、画面輝度＝２５０００ルーメンのときの累積点灯時間２５０時間の光源駆動電力＝５７３０［Ｗ］を算出する。また、表２に示すように、画面輝度＝２２０００ルーメンのときの累積点灯時間＝２００時間、光源駆動電力（標本駆動電力）＝５０３３［Ｗ］と、累積点灯時間＝３００時間、光源駆動電力（標本駆動電力）＝５０５５［Ｗ］とを用いて、例えば線形補間を行う。これにより、画面輝度＝２２０００ルーメンのときの累積点灯時間２５０時間の光源駆動電力＝５０４４［Ｗ］を算出する。画面輝度と算出した光源駆動電力とを用いて、例えば線形補間などにより、画面輝度＝２３０００ルーメン、累積点灯時間２５０時間のときの光源駆動電力（目標駆動電力）＝５２７３［Ｗ］を算出し、光源駆動電力として５２７３［Ｗ］に設定する。
【００６８】
なお、本実施形態では現在の累積点灯時間の前後の累積点灯時間を用いて算出したが、第１の実施形態のように、前の２つの累積点灯時間を用いてもよい。また、本実施形態では、変更後の目標輝度が、光源特性に記憶されている目標輝度の間の目標輝度であるが、記憶されている目標輝度より大きいまたは小さい値でもよい。この場合、記憶されている少なくとも２つの目標輝度および現在の累積点灯時間に対応する標本駆動電力を求め、例えば２つの標本駆動電力を結ぶ直線上の値として求めることができる。
【００６９】
つまり、制御部４０は、記憶部に記憶されている光源特性に含まれていない目標輝度に変更するとき、光源特性を用いて、現在の累積点灯時間に対し少なくとも直前の２つの累積点灯時間または直前と直後の累積点灯時間に対応する標本駆動電力を少なくとも２種類の目標輝度毎に求める。求めた標本駆動電力を用いて現在の累積点灯時間に対応する目標駆動電力を求め、求めた目標駆動電力を用いて光源駆動部１２に光源１１を点灯させる。
【００７０】
本実施形態では、第１の実施形態の効果に加え、ユーザが新たに設定する画面輝度に応じて記憶部１９に記憶された複数の画面輝度に対応した光源特性に基づいて制御部が適切な光源駆動電力を設定するので、新たな画面輝度を簡単に設定することができる。
（第３の実施形態）
図５は、本発明の第３の実施形態に係る投写型表示装置であるプロジェクタ５０の構成を示すブロック図である。なお、第１の実施形態に係るプロジェクタ１０と共通する部分については説明を省略する。以下、プロジェクタ１０との相違点について主に説明する。なお、第３の実施形態を第２の実施形態に適用することも可能である。
【００７１】
プロジェクタ５０は、光源１１と、光源駆動部１２と、照明光学部１３と、信号入力部１４と、映像処理部１５と、表示駆動部１６と、表示部１７と、投写光学部１８と、記憶部１９と、交換検出部２１と、制御部６０とを有する。交換検出部２１は、光源１１が交換されたことを検出する。制御部６０は、制御部２０または４０の動作に加え、交換検出部２１が検出した結果に基づき処理を行う。
【００７２】
第３の実施形態では、光源１１が交換されたことを検出すると、光源１１の累積点灯時間をリセットして、交換前の光源１１を用いて調整し記憶部１９に記憶された光源特性に基づいて輝度調整処理を行う。光源１１の交換の検出は、例えば、光源１１を交換するときに開閉される光源１１付近の扉またはカバーなどが開閉されたことを検出し、開閉があれば光源１１が交換されたと判定してもよい。また、プロジェクタ５０の電源が起動された前回の状態と今回の状態とで、光源１１が点灯しているときの光源駆動電力を比較して所定の電力差よりも大きい場合に光源１１が交換されたと判定してもよい。その他、光源１１の交換の検出は一般的な技術を用いることができる。
【００７３】
例えば、光源１１を新品に交換した場合、光源１１の累積点灯時間がリセットされずに、交換前に記憶された累積点灯時間が使用される場合がある。この場合、光源１１を長時間使用した後の光源特性が用いられるため、設定される光源駆動電力と適切な光源駆動電力との間の差が大きくなり、新品の光源１１に対しては調整に時間がかかるという問題がある。
【００７４】
第３の実施形態では、第１または第２の実施形態の効果に加え、光源１１の交換を検出し、光源１１の累積点灯時間をリセットするので、上記問題を防止することができる。
【００７５】
また、記憶部１９に記憶される光源特性は、交換前の光源１１の光源特性を保持したまま交換後の光源１１の光源特性を追加して記憶してもよい。この場合、同じ累積点灯時間の情報が複数存在する可能性があるが、例えば平均値を用いたり、前後の累積点灯時間との関係に基づいて判定を行ったりするなど、一般的な情報処理技術を用いて適切な光源駆動電力を求めることができる。
【００７６】
また、記憶部１９に記憶される光源特性は、交換後の光源１１の累積点灯時間に応じて、交換前の光源１１の光源特性を削除するようにしてもよい。例えば、光源１１の累積点灯時間が５００時間のときに光源特性記憶処理を実行すると、累積点灯時間５００時間以前の交換前の光源１１の情報を削除する。この場合、上記の情報を追加する構成に対し、使用する情報量が少ないので、光源駆動電力を簡単に求めることができる。
（変形例）
第１の実施形態では、コンテンツ名と、光源１１の出力輝度に対応する各種値とを関連付けて記憶し、第２の実施形態では、画面輝度と、光源１１の出力輝度に対応する各種値とを関連付けて記憶したが、第１の実施形態で画面輝度と、第２の実施形態でコンテンツ名と、光源１１の出力輝度に対応する各種値とをそれぞれ関連付けて記憶してもよい。
【００７７】
また、第１の実施形態では、画面輝度がそれぞれ異なっている場合、換言すると、検出輝度Ｙａ、Ｙｂ、Ｙｃがそれぞれ異なっている場合を示したが、一部同じ場合、全て同じ場合などがある。なお、検出輝度Ｙａ、Ｙｂ、Ｙｃの内いずれかが同じ値のとき、同じ値のコンテンツを１つの光源特性として記憶してもよい。
【００７８】
また、本実施形態では、前回の光源特性記憶処理の後所定の時間が経過すると光源特性記憶処理を実行したが、所定の時間は、例えば、１時間や１０時間などでもよい。
【００７９】
また、本実施形態では、光源特性は、光源の輝度毎に記憶されたが、光源の輝度毎およびまたは光源の種類毎に記憶されてもよい。この場合、制御部は、光源の輝度およびまたは光源の種類に応じて光源駆動電力を設定する。また、映像表示装置は光源の種類を検出する光源検出部を備え、制御部は光源検出部の出力に応じて動作してもよい。
【００８０】
また、本実施形態では、光源の輝度を調整するパラメータとして、光源駆動電力を用いたが、光源駆動電力の代わりに光源駆動電流または光源駆動電圧または光源駆動電力を含むそれらを組み合わせて用いても良い。
【００８１】
また、本実施形態では、光源特性をルックアップテーブルとして保存したが、これに限定されず、図６に示すような近似曲線または、各測定点を直線で接続した折れ線グラフなどのような式として記憶してもよい。図６の近似曲線Ｐ３０はコンテンツＣａに、近似曲線Ｐ２５はコンテンツＣｂに、近似曲線Ｐ２２はコンテンツＣｃに、それぞれ対応している。
【００８２】
また、本実施形態では、コンテンツを上映するときに、ユーザは上映するコンテンツ名をプロジェクタ１０に設定したが、コンテンツ名にかえて上映するコンテンツに対応する画面輝度を設定してもよい。プロジェクタ１０は、設定されたコンテンツ名または画面輝度に応じて、記憶部１９に記憶された目標輝度に対応する各種値をプロジェクタ１０に設定してコンテンツを上映する。なお、ユーザが設定するコンテンツ名または画面輝度は、光源１１を点灯する前に設定しても良いし、光源１１を点灯した後に設定しても良い。
【００８３】
また、本実施形態では、プロジェクタの光源としてランプを用いて説明したが、これに限定されない。例えば、光源として、ＬＥＤ等の固体光源を用いてもよい。
【００８４】
また、本実施形態では、光源駆動電力の設定値に、光源特性が示す２つ（２点）の累積点灯時間に対応する情報を用いて直線を求め、求めた直性上の値を用いたが、他の処理を用いてもよい。例えば、３つ（３点）以上の複数の点の累積点灯時間に対応する情報を用いて近似曲線を求める処理を行ってもよい。
【００８５】
また、記憶部１９は、使用する光源１１の代表的な特性である光源代表特性を予め記憶してもよい。制御部２０は、前回記憶したときの累積点灯時間と現在の累積点灯時間を用いて光源代表特性に基づき光源駆動電力の変化分を予測し、所定の目標輝度に対する光源特性を用いて前回記憶した光源駆動電力と予測した光源駆動電力の変化分に基づいて今回の光源駆動電力を求めるようにしてもよい。
【符号の説明】
【００８６】
１０、３０、５０    プロジェクタ
１１    光源
１２    光源駆動部
１３    照明光学部
１４    信号入力部
１５    映像処理部
１６    表示駆動部
１７    表示部
１８    投写光学部
１９    記憶部
２０、４０、６０    制御部
２１    交換検出部
【図１】
2016184086.tif 000005
【図２】
2016184086.tif 000006
【図３】
2016184086.tif 000007
【図４】
2016184086.tif 000008
【図５】
2016184086.tif 000009
【図６】
2016184086.tif 000010
【図７】
2016184086.tif 000011